(57)【特許請求の範囲】
【請求項１】
移動端末の保護方法であって、
移動端末におけるローカルイベントを監視し、ロスト保護状態に入るかどうかを判定することと、
ロスト保護状態に入ることを判定した後に、ロスト状態イベントを記録し、現在の動作状態を前記ロスト保護状態に切り替え、そして対応する機能を制限することとを含み、
前記ロスト状態イベントを記録し、現在の動作状態を前記ロスト保護状態に切り替え、
そして対応する機能を制限した後に、前記方法は、
ユーザが前記移動端末に対してソフトウェアダウンロードまたは更新を行う場合、ユーザＩＤを検証し、検証されば、前記ダウンロードまたは更新を許可し、検証されなければ、前記ダウンロードまたは更新を禁止することをさらに含む前記方法。
【請求項２】
前記移動端末におけるローカルイベントを監視し、ロスト保護状態に入るかどうかを判定する前に、前記方法は、
ロスト保護機能を起動し、ＩＤ検証キーを設定することをさらに含むことを特徴とする
請求項１に記載の方法。
【請求項３】
前記ユーザＩＤを検証することは、
ユーザにより入力されたＩＤ検証情報を、保存されたＩＤ検証キーと比較して検証し、
前記ユーザにより入力されたＩＤ検証情報が前記保存されたＩＤ検証キーと一致すれば、検証され、前記ユーザにより入力ＩＤ検証情報が前記保存されたＩＤ検証キーと一致しなければ、検証されないことを含むことを特徴とする
請求項１または２に記載の方法。
【請求項４】
前記移動端末におけるローカルイベントを監視し、ロスト保護状態に入るかどうかを判定することは、
前記移動端末におけるローカルイベントを監視する場合、ロスト状態イベントがトリガーされると、前記ロスト保護状態に入るように制御し、遠隔制御コマンドを受信すると、
前記制御コマンドに対してＩＤ検証を行い、検証されば、前記ロスト保護状態に入るように制御し、検証されなければ、前記遠隔制御コマンドを監視し続けることを含むことを特徴とする
請求項１に記載の方法。
【請求項５】
移動端末におけるローカルイベントを監視し、ロスト保護状態に入るかどうかを判定するように配置されるイベント監視モジュールと、
前記移動端末がロスト保護状態に入ることを判定した後に、ロスト状態イベントを記録し、現在の動作状態を前記ロスト保護状態に切り替え、そして対応する機能を制限するように配置されるロスト保護モジュールと、
前記移動端末がロスト保護状態に入り、且つユーザが前記移動端末に対してソフトウェアダウンロードまたは更新を行う場合、ユーザＩＤを検証し、検証されば、前記ダウンロードまたは更新を許可し、検証されなければ、前記ダウンロードまたは更新を禁止するように配置されるアップグレード保護モジュールとを含む、移動端末の保護装置。
【請求項６】
ロスト保護機能を起動し、ＩＤ検証キーを設定するように配置される機能設定モジュールをさらに含むことを特徴とする
請求項５に記載の装置。
【請求項７】
前記アップグレード保護モジュールは、
ユーザにより入力されたＩＤ検証情報を、保存されたＩＤ検証キーと比較して検証し、前記ユーザにより入力されたＩＤ検証情報が前記保存されたＩＤ検証キーと一致すれば、検証され、前記ユーザにより入力ＩＤ検証情報が前記保存されたＩＤ検証キーと一致しなければ、検証されないように配置されることを特徴とする
請求項５または６に記載の装置。
【請求項８】
前記イベント監視モジュールは、
移動端末におけるローカルイベントを監視する場合、ロスト状態イベントがトリガされると、前記ロスト保護状態に入るように制御するためのイベントトリガユニット、および／または
移動端末におけるローカルイベントを監視する場合、遠隔制御コマンドを受信すると、
前記制御コマンドに対してＩＤ検証を行い、検証されば、前記ロスト保護状態に入るように制御し、検証されなければ、前記遠隔制御コマンドを監視し続けるためのコマンド制御ユニットを含むことを特徴とする
請求項５に記載の装置。
【発明の詳細な説明】
【技術分野】
【０００１】
本発明は、移動端末技術分野に関し、特に移動端末のバージョン保護方法および装置に関する。
【背景技術】
【０００２】
携帯電話の機能が益々強くなることに伴い、ユーザの携帯電話に対する依存度がますます高くなり、ユーザにとって、多くの非常に重要な情報が携帯電話に保存され、一旦携帯電話が失われたら、ユーザ個人にとって金銭的損失だけではなく、多くの貴重な個人情報が失われる。これに基づいて、技術者は、携帯電話を紛失した後に、遠隔またはローカルトリガ方式で携帯電話の紛失後の保護状態に入るようにする技術を提案する。保護状態は、携帯電話のバージョン使用権限に対する制限に基づいて、利用可能な機能を制限し、または携帯電話をロックすることで携帯電話の紛失後に他人に使用される可能性を低減させる。
【０００３】
従来技術においてリダイレクション方式のプッシュ通信により所有者が携帯電話の紛失後に取り戻すことが困難な問題を解決し、取得者が能動的に所有者と通信チャネルを確立し、同時に、プッシュ通信モードがトリガされた後に、携帯電話の利用可能な機能もある程度制限される。
【０００４】
しかし、従来技術においても大きな欠点があって、従来技術のいずれが携帯電話のソフトウェアバージョンまたはアプリケーションを保護するため、一般的に、バージョンの更新に伴って保護機能が消去される問題が存在し、即ち紛失且つ保護状態に入る携帯電話に対して、一旦取得者がオペレーティングシステム再インストールまたはアップグレード操作を行ったら、この携帯電話には保護機能が存在しなくなり、アップグレード操作が完了された後にこの携帯電話が依然として機能の正常な携帯電話として使用されることができ、従来の端末保護技術が、紛失されてソフトウェアバージョンが更新された携帯電話に対して、いかなる保護作用を果たしていない。
【発明の概要】
【発明が解決しようとする課題】
【０００５】
本発明の実施形態の主な目的は、バージョンアップグレードにより携帯電話ロスト保護機能をバイパスする問題を解決するように、移動端末のバージョン保護方法および装置を提供することである。
【課題を解決するための手段】
【０００６】
本発明の実施形態に係る移動端末のバージョン保護方法は、
移動端末におけるローカルイベントを監視し、ロスト保護状態に入るかどうかを判定することと、
ロスト保護状態に入ることを判定した後に、ロスト状態イベントを記録し、現在の動作状態を前記ロスト保護状態に切り替え、そして対応する機能を制限することとを含む。
【０００７】
好ましくは、前記ロスト状態イベントを記録し、現在の動作状態を前記ロスト保護状態に切り替え、そして対応する機能を制限した後に、前記方法は、
ユーザが前記移動端末に対してソフトウェアダウンロードまたは更新を行う場合、前記ユーザＩＤを検証し、検証されば、前記ダウンロードまたは更新を許可し、検証されなければ、前記ダウンロードまたは更新を禁止することをさらに含む。
【０００８】
好ましくは、前記移動端末におけるローカルイベントを監視し、ロスト保護状態に入るかどうかを判定する前に、前記方法は、
ロスト保護機能を起動し、ＩＤ検証キーを設定することをさらに含む。
【０００９】
好ましくは、前記ユーザＩＤを検証することは、
前記ユーザにより入力されたＩＤ検証情報を、保存されたＩＤ検証キーと比較して検証し、
前記ユーザにより入力ＩＤ検証情報が前記保存されたＩＤ検証キーと一致すれば、検証され、
前記ユーザにより入力ＩＤ検証情報が前記保存されたＩＤ検証キーと一致しなければ、検証されないことを含む。
【００１０】
好ましくは、前記移動端末におけるローカルイベントを監視し、ロスト保護状態に入るかどうかを判定することは、
前記移動端末におけるローカルイベントを監視する場合、ロスト状態イベントがトリガーされると、前記ロスト保護状態に入るように制御し、遠隔制御コマンドを受信すると、前記制御コマンドに対してＩＤ検証を行い、検証されば、前記ロスト保護状態に入るように制御し、検証されなければ、前記遠隔制御コマンドを監視し続けることを含む。
【００１１】
好ましくは、前記移動端末におけるローカルイベントを監視し、ロスト保護状態に入るかどうかを判定した後に、前記方法は、
ロスト保護状態に入らないことを判定した後に、前記現在の動作状態を維持し、前記ユーザが前記移動端末に対してソフトウェアダウンロードまたは更新を行う場合に、前記ダウンロードまたは更新を許可することをさらに含む。
【００１２】
本発明の実施形態に係る移動端末のバージョン保護装置は、
移動端末におけるローカルイベントを監視し、ロスト保護状態に入るかどうかを判定するように配置されるイベント監視モジュールと、
前記移動端末がロスト保護状態に入ることを判定した後に、ロスト状態イベントを記録し、現在の動作状態を前記ロスト保護状態に切り替え、そして対応する機能を制限するように配置されるロスト保護モジュールとを含む。
【００１３】
好ましくは、前記移動端末のバージョン保護装置は、
前記移動端末がロスト保護状態に入り、且つユーザが前記移動端末に対してソフトウェアダウンロードまたは更新を行う場合、前記ユーザＩＤを検証し、検証されば、前記ダウンロードまたは更新を許可し、検証されなければ、前記ダウンロードまたは更新を禁止するように配置されるアップグレード保護モジュールをさらに含む。
【００１４】
好ましくは、前記移動端末のバージョン保護装置は、
ロスト保護機能を起動し、ＩＤ検証キーを設定するように配置される機能設定モジュールをさらに含む。
【００１５】
好ましくは、前記アップグレード保護モジュールは、
ユーザにより入力されたＩＤ検証情報を、保存されたＩＤ検証キーと比較して検証し、前記ユーザにより入力されたＩＤ検証情報が前記保存されたＩＤ検証キーと一致すれば、検証され、前記ユーザにより入力されたＩＤ検証情報が前記保存されたＩＤ検証キーと一致しければ、検証されないように配置される。
【００１６】
好ましくは、前記イベント監視モジュールは、
移動端末におけるローカルイベントを監視する場合、ロスト状態イベントがトリガされると、前記ロスト保護状態に入るように制御するためのイベントトリガユニット、および／または、
移動端末におけるローカルイベントを監視する場合、遠隔制御コマンドを受信すると、前記制御コマンドに対してＩＤ検証を行い、検証されば、前記ロスト保護状態に入るように制御し、検証されなければ、前記遠隔制御コマンドを監視し続けるためのコマンド制御ユニットを含む。
【発明の効果】
【００１７】
本発明の実施形態は、移動端末におけるローカルイベントを監視し、移動端末がロスト保護状態に入ることを判定した後に、ロスト状態イベントを記録し、現在の動作状態をロスト保護状態に切り替え、そして対応する機能を制限する方法により、保護状態に入る移動端末に対して特定のバージョン保護を行う有益な効果を有し、移動端末の信頼性を高め、ユーザ体験を向上させる。
【図面の簡単な説明】
【００１８】
【図１】本発明に係る移動端末のバージョン保護方法の一つの実施形態のプローチャートである。
【図２】本発明に係る移動端末のバージョン保護方法の他の実施形態のプローチャートである。
【図３】本発明に係る移動端末のバージョン保護方法のもう一つの実施形態のプローチャートである。
【図４】本発明に係る移動端末のバージョン保護装置の一つの実施形態の構成図である。
【図５】本発明に係る移動端末のバージョン保護装置におけるイベント監視モジュールの一つの実施形態の構成図である。
【図６】本発明に係る移動端末のバージョン保護装置の他の実施形態の構成図である。
【図７】本発明に係る移動端末のバージョン保護装置のもう一つの実施形態の構成図である。
【発明を実施するための形態】
【００１９】
本発明の実施形態の目的の実現、機能特徴および利点を、実施形態と組み合わせて、図面を参照してさらに説明する。
【００２０】
以下、説明書の図面および具体的な実施形態を参照して本発明の技術的スキームをさらに説明する。ここに記載される具体的な実施形態は、本発明を説明するために過ぎず、本発明を限定することに用いられるものではないと理解すべきである。
【００２１】
図１を参照し、図１が本発明に係る移動端末のバージョン保護方法の一つの実施形態のプローチャートであり、図１に示すように、本発明の実施形態に係る移動端末のバージョン保護方法は、以下のステップを含む。
【００２２】
ステップＳ０１において、移動端末におけるローカルイベントを監視し、ロスト保護状態に入るかどうかを監視し、はいの場合、ステップＳ０２を実行し、いいえの場合、ステップＳ０３を実行する。
【００２３】
ここで、移動端末における対応するモジュールは、前記移動端末自体のローカルイベントを監視し、具体的な監視状況に応じて、移動端末がロスト保護状態に入る必要があるかどうかを判定する。
【００２４】
好ましい実施形態において、移動端末がロスト保護状態に入ることを判定する判定基準は、主に、特定のロストルールに従って移動端末の状態を監視し、移動端末が、定義されたロックルールまたはロストトリガ条件を満たし、例えばユーザＩＤ識別（ＳＩＭ：Ｓｕｂｓｃｒｉｂｅｒ  Ｉｄｅｎｔｉｔｙ  Ｍｏｄｕｌｅ）カードなどを不正に交換する場合、当該移動端末がロスト保護状態に入ることを判定すること、遠隔制御コマンドを監視し、遠隔制御コマンドを受信した場合、前記遠隔制御コマンドに対してＩＤ検証を行い、ＩＤ検証結果に基づいて移動端末がロスト保護状態に入る必要があるかどうかを判定し、具体的には、前記遠隔制御コマンドのＩＤ検証が成功すると、移動端末がロスト保護状態に入ることを判定し、前記遠隔制御コマンドのＩＤ検証が成功しないと、遠隔制御コマンドを監視し続けることの２種類の状況を含む。
【００２５】
ステップＳ０２において、ロスト状態イベントを記録し、現在の動作状態を前記ロスト保護状態に切り替え、そして対応する機能を制御する。
【００２６】
ここで、ステップＳ０１において、移動端末がロスト保護状態に入ることを判定した場合、当該移動端末は、自体がロスト保護状態に入るようにトリガするロスト状態イベントを記録して保存し、同時に、現在の動作状態をロスト保護状態に切り替え、そしてシステムを強制的に再起動し、システムの強制的再起動プロセスにおいて、一定の保護ルールに従って移動端末自体のいくつかの機能とアクセス可能なリソースを制限する。
【００２７】
ステップＳ０３において、前記現在の動作状態を維持し、ユーザが前記移動端末に対してソフトウェアダウンロードまたは更新を行う場合、前記ダウンロードまたは更新を許可する。
【００２８】
ここで、ステップＳ０１において、前記移動端末がロスト保護状態に入らないことを判定し、且つ前記移動端末が依然として通常動作状態にある場合、前記移動端末は、現在の通常動作状態を維持し、ユーザのすべての合法的な操作、例えばユーザがソフトウェアダウンロード又はプログラム更新を行うことを許可する。
【００２９】
本実施形態は、移動端末におけるローカルイベントを監視し、移動端末がロスト保護状態に入ることを判定した後に、ロスト状態イベントを記録し、現在の動作状態をロスト保護状態に切り替え、そして対応する機能を制限する方法により、保護状態に入る移動端末に対して特定のバージョン保護を行う有益な効果を有し、移動端末の信頼性を高め、ユーザ体験を向上させる。
【００３０】
図２を参照し、図２が本発明に係る移動端末のバージョン保護方法の他の実施形態のプローチャートである。本実施形態と図１に示す実施形態との違いは、ステップＳ０４を追加することである。本実施形態は、ステップＳ０４のみを具体的に説明する。本発明の実施形態に係る移動端末のバージョン保護方法は、ロスト状態イベントを記録し、現在の動作状態を前記ロスト保護状態に切り替え、そして対応する機能を制限するステップＳ０２の後に、ステップＳ０４をさらに含む。
【００３１】
ステップＳ０４において、ユーザが前記移動端端末に対してソフトウェアダウンロードまたは更新を行う場合、前記ユーザＩＤを検証し、検証されば、前記ソフトウェアダウンロードまたは更新を許可し、検証されなければ、前記ソフトウェアダウンロードまたは更新を禁止する。
【００３２】
ユーザが当該移動端末に対してソフトウェアダウンロードまたは更新を行い、移動端末の現在の状態がロスト保護状態であることを読み取る場合、ユーザがバージョンダウンロードツールにＩＤ検証情報を入力して、ユーザＩＤの検証に用いる必要があって、検証されば、前記ダウンロードまたは更新を許可し、検証されなければ、前記ダウンロードまたは更新を禁止する。
【００３３】
好ましい実施形態において、ユーザがＩＤ検証情報を入力した場合、移動端末は、予め記憶されたロスト保護ＩＤ検証キー、即ちＩＤ検証キーを読み取り、ユーザにより入力されたＩＤ検証情報を、記憶されたＩＤ検証キーと比較して、両者が一致すれば、検証され、ダウンロードまたは更新などの合法的な操作を許可し、両者が一致しなければ、検証されなく、ダウンロードまたは更新のいかなる操作を禁止する。
【００３４】
ユーザが当該移動端末に対してソフトウェアダウンロードまたは更新を行い、移動端末の現在の状態が通常動作状態であることを読み取る場合、ユーザがダウンロードまたは更新などのすべての合法的な操作を行うことを許可する。
【００３５】
本実施形態は、ユーザが移動端末に対してソフトウェアダウンロードまたは更新する場合に、ユーザＩＤを検証し、検証されれば、ダウンロードまたは更新を許可し、検証されなければ、ダウンロードまたは更新を禁止する方法により、取得者が保護状態に入る移動端末に対して不正なアップグレードを行うことを防止する有益な効果を有し、さらに移動端末に対する保護機能を強化させ、移動端末の信頼性を大幅に高め、当該移動端末に保存されたユーザの個人情報の安全性を向上させる。
【００３６】
図３を参照し、図３が本発明に係る移動端末のバージョン保護方法のもう一つの実施形態のプローチャートである。本実施形態と図２に示す実施形態との違いは、ステップＳ００を増加することである。本実施形態は、ステップＳ００のみを具体的に説明する。本発明の実施形態に係る移動端末のバージョン保護方法に関する他のステップについて、関連する実施形態の具体的な説明を参照してください。ここで説明は、省略する。
【００３７】
図３に示すように、本発明の実施形態に係る移動端末のバージョン保護方法は、移動端末におけるローカルイベントを監視し、ロスト保護状態に入るかどうかを判定するステップＳ０１の前に、ステップＳ００をさらに含む。
【００３８】
ステップＳ００において、ロスト保護機能を起動し、ＩＤ検証キーを設定する。
【００３９】
移動端末が紛失または他の原因で所有者以外のユーザに不正に使用されることを避けるために、ユーザは、ロスト保護機能の設定により、移動端末のロスト保護機能を起動し、関連する配置を行う必要があり、移動端末は、ユーザの選択および配置に基づいて、自体のロスト保護機能を起動し、対応するユーザＩＤ検証キーを設定する。
【００４０】
移動端末がロスト保護機能を起動してＩＤ検証キーを設定することにより、移動端末が紛失され、盗難または他の原因で所有者以外のユーザに取得された後、重要なリソース盗難または移動端末自体に対する不正な操作を行うことなどの問題を避け、同時に、取得者が対応する操作（例えば移動端末に対してオペレーティングシステムの再インストール操作またはソフトウェアのアンインストールなどを行う）により移動端末のロスト保護状態をバイパスする問題を避けて、紛失された移動端末のロスト保護機能の信頼性を保証し、それによって紛失された移動端末が完璧に保護される。
【００４１】
図４を参照し、図４が本発明に係る移動端末のバージョン保護装置の一つの実施形態の構成図である。図４に示すように、本発明の実施形態に係るバージョン保護装置は、イベント監視モジュール０１とロスト保護モジュール０２を含む。
【００４２】
イベント監視モジュール０１は、移動端末におけるローカルイベントを監視し、ロスト保護状態に入るかどうかを判定するように配置される。
【００４３】
移動端末におけるイベント監視モジュール０１は、前記移動端末自体のローカルイベントを監視し、具体的な監視状況に応じて、移動端末がロスト保護状態に入る必要があるかどうかを判定する。
【００４４】
図５を参照し、図５が本発明に係る移動端末のバージョン保護装置におけるイベント監視モジュールの一つの実施形態の構成図である。図５に示すように、本発明の実施形態に係る移動端末のバージョン保護装置において、イベント監視モジュール０１は、イベントトリガユニット０１１とコマンド制御ユニット０１２を含む。
【００４５】
イベントトリガユニット０１１は、移動端末におけるローカルイベントを監視する場合、ロスト状態イベントがトリガされると、前記ロスト保護状態に入るように制御するために配置される。
【００４６】
コマンド制御ユニット０１２は、移動端末におけるローカルイベントを監視する場合、遠隔制御コマンドを受信すると、前記制御コマンドに対してＩＤ検証を行い、検証されば、前記ロスト保護状態に入るように制御し、検証されなければ、前記移動端末におけるローカルイベントを監視し続けるように配置される。
【００４７】
好ましい実施形態において、イベント監視モジュール０１が、移動端末がロスト保護状態に入ることを判定する判定基準は、主に、以下の２種類の状況を含む。一つは、イベントトリガユニット０１１が特定のロストルールに従って移動端末の状態を監視し、移動端末が、定義されたロックルールまたはロストトリガ条件を満たし、例えばＳＩＭカードなどを不正に交換する場合、イベントトリガユニット０１１が、当該移動端末がロスト保護状態に入ることを判定することである。もう一つは、コマンド制御ユニット０１２が遠隔制御コマンドを監視し、遠隔制御コマンドを受信した場合、前記遠隔制御コマンドに対してＩＤ検証を行い、ＩＤ検証結果に基づいて移動端末がロスト保護状態に入る必要があるかどうかを判定し、具体的には、前記遠隔制御コマンドのＩＤ検証が成功すると、コマンド制御ユニット０１２が、移動端末がロスト保護状態に入ることを判定し、前記遠隔制御コマンドのＩＤ検証が成功しないと、コマンド制御ユニット０１２が遠隔制御コマンドを監視し続けることである。
【００４８】
ロスト保護モジュール０２は、前記移動端末がロスト保護状態に入ることを判定した後に、ロスト状態イベントを記録し、現在の動作状態を前記ロスト保護状態に切り替え、そして対応する機能を制御するように配置される。
【００４９】
イベント監視モジュール０１が、移動端末がロスト保護状態に入ることを判定した場合、ロスト保護モジュール０２は、当該移動端末がロスト保護状態に入るようにトリガするロスト状態イベントを記録して保存し、同時に、現在の動作状態をロスト保護状態に切り替えてシステムを強制的に再起動し、システムの強制的再起動プロセスにおいて、一定の保護ルールに従って移動端末自体のいくつかの機能とアクセス可能なリソースを制御する。
【００５０】
イベント監視モジュール０１が、前記移動端末がロスト保護状態に入らないことを判定し、且つ前記移動端末が依然として通常動作状態にある場合、前記移動端末は、現在の通常動作状態を維持し続け、そしてユーザのすべての合法的な操作、例えばユーザがソフトウェアダウンロードまたはプログラム更新などの操作を行うことを許可する。
【００５１】
本実施形態は、移動端末におけるローカルイベントを監視し、移動端末がロスト保護状態に入ることを判定した後に、ロスト状態イベントを記録し、現在の動作状態をロスト保護状態に切り替え、そして対応する機能を制限する方法により、保護状態に入る移動端末に対して特定のバージョン保護を行う有益な効果を有し、移動端末の信頼性を高め、ユーザ体験を向上させる。
【００５２】
図６を参照し、図６が本発明に係る移動端末のバージョン保護装置の他の実施形態の構成図である。本実施形態と図４に示す実施形態との違いは、アップグレード保護モジュール０３を追加することである。本実施形態は、アップグレード保護モジュール０３の機能のみを具体的に説明する。本発明の実施形態に係る移動端末のバージョン保護装置に関する他のモジュールの機能について、関連する実施形態の具体的な説明を参照してください。ここで説明は、省略する。
【００５３】
図６に示すように、本発明の実施形態に係る移動端末のバージョン保護装置は、
前記移動端末がロスト保護状態に入り、且つユーザが前記移動端末に対してソフトウェアダウンロードまたは更新を行う場合、前記ユーザＩＤを検証し、検証されば、前記ダウンロードまたは更新を許可し、検証されなければ、前記ダウンロードまたは更新を禁止するように配置されるアップグレード保護モジュール０３をさらに含む。
【００５４】
ユーザが当該移動端末に対してソフトウェアダウンロードまたは更新を行い、イベント監視モジュール０１が、移動端末が現在ロスト保護状態にあることを読み取る場合、アップグレード保護モジュール０３は、ユーザがバージョンダウンロードツールにＩＤ検証情報を入力し、ユーザＩＤの検証に用いる必要があって、検証されば、前記ダウンロードまたは更新を許可し、検証されなければ、前記ダウンロードまたは更新を禁止する。
【００５５】
好ましい実施形態において、ユーザがＩＤ検証情報を入力した場合、アップグレード保護モジュール０３は、予め記憶されたロスト保護ＩＤ検証キー、即ちＩＤ検証キーを読み取り、ユーザにより入力されたＩＤ検証情報を記憶されたＩＤ検証キーと比較して、両者が一致すすれば、検証され、ダウンロードまたは更新などの合法的な操作を許可し、両者が一致しなければ、検証されなく、ダウンロードまたは更新のいかなる操作を禁止する。
【００５６】
本実施形態は、ユーザが移動端末に対してダウンロードまたは更新を行う場合、ユーザＩＤを検証し、検証されば、ダウンロードまたは更新を許可し、検証されなければ、ダウンロードまたは更新を禁止することにより、取得者が保護状態に入る移動端末に対して不正なアップグレードを行うことを防止する有益な効果を有し、さらに移動端末に対する保護機能を強化し、移動端末の信頼性を大幅に高め、当該移動端末に保存されたユーザの個人情報の安全性を向上させる。
【００５７】
図７を参照し、図７が本発明の移動端末のバージョン保護装置のもう一つの実施形態の構成図である。本実施形態と図６に示す実施形態との違いは、機能設定モジュール０４を追加することである。本実施形態は、機能設定モジュール０４の機能のみを具体的に説明する。本発明の実施形態に係る移動端末のバージョン保護装置に関する他のモジュールの機能について上記の実施形態の具体的な説明を参照してください。ここで説明は、省略する。
【００５８】
図７に示すように、本発明の実施形態に係る移動端末のバージョン保護装置は、
ロスト保護機能を起動し、ＩＤ検証キーを設定するように配置される機能設定モジュール０４をさらに含む。
【００５９】
移動端末が紛失または他の原因で所有者以外のユーザに不正に使用されることを避けるために、ユーザは、ロスト保護機能の設定により、移動端末のロスト保護機能を起動し、関連する配置を行う必要がある。機能設定モジュール０４は、ユーザの選択および配置に基づいて、移動端末のロスト保護機能を起動し、対応するユーザＩＤ検証キーを設定する。
【００６０】
移動端末がロスト保護機能を起動してＩＤ検証キーを設定することにより、移動端末が紛失され、盗難または他の原因で所有者以外のユーザに取得された後、重要なリソース盗難または移動端末自体に対する不正な操作を行うことなどの問題を避け、同時に、取得者が対応する操作（例えば移動端末に対してオペレーティングシステムの再インストール操作またはソフトウェアのアンインストールなどを行う）により移動端末のロスト保護状態をバイパスする問題を避けて、紛失された移動端末のロスト保護機能の信頼性を保証し、それによって紛失された移動端末が完璧に保護される。
【００６１】
上記は、本発明の好ましい実施形態に過ぎなく、そのためその特許範囲を制限せず、本発明の説明書および図面内容を利用して行われる同等構造または同等プロセス変換がすべて直接または間接に他の関連する技術分野に用いられ、同様に、本発明の特許保護範囲に含まれる。
【符号の説明】
【００６２】
０１・・・イベント監視モジュール、０２・・・ロスト保護モジュール、０３・・・アップグレード保護モジュール、０４・・・機能設定モジュール、０１１・・・イベントトリガユニット、０１２・・・コマンド制御ユニット、
【図１】
0006412006.tif 000002
【図２】
0006412006.tif 000003
【図３】
0006412006.tif 000004
【図４】
0006412006.tif 000005
【図５】
0006412006.tif 000006
【図６】
0006412006.tif 000007
【図７】
0006412006.tif 000008